【誤訳訂正書】
【提出日】令和3年3月17日(2021.3.17)
【誤訳訂正１】
【訂正対象書類名】特許請求の範囲
【訂正対象項目名】全文
【訂正方法】変更
【訂正の内容】
【特許請求の範囲】
【請求項１】
搬送方向に移動するように動作可能なエンドレスコンベヤー上のポケットに供給されるロッド状物品を配列するための装置であって、前記装置が、
ロッド状物品を受けるように、およびロッド状物品が前記エンドレスコンベヤー上のポケットに供給されるためにロッド状物品を配列するように動作可能なホッパーと、
前記ホッパーの上に垂直に位置付けられ、第一のロッド状物品のマスフローを前記ホッパーに下向きに供給するように動作可能な主フィーダーと、
前記搬送方向に対して横断方向で且つ前記ホッパー内にある時の前記ロッド状物品の長軸方向の延長部の向きと平行な方向に前記ホッパーから横方向に間隙を介した側方フィーダーと、を備え、前記側方フィーダーが供給出口内で終了する供給管に接続され、前記供給管が第二のロッド状物品を前記供給出口経由で前記装置の中へと供給するように動作可能である装置。
【請求項２】
前記供給管が第二のロッド状物品を前記供給出口経由で前記ホッパーの中へと供給するように動作可能である、請求項１に記載の装置。
【請求項３】
エンドレスコンベヤーを備え、前記ホッパーが、前記エンドレスコンベヤーに隣接して位置付けられた近位壁であって近位平面を画定する前記近位壁と、前記搬送方向と直交する方向で前記近位壁の横方向に位置する遠位壁であって遠位平面を画定する遠位壁とを有し、かつ前記供給管が前記第二のロッド状物品を前記供給出口経由で前記ホッパーの中へと供給するために、前記近位平面または前記遠位平面を好ましくは前記それぞれの平面と直交する角度で横断する、請求項２に記載の装置。
【請求項４】
前記供給出口が前記主フィーダーの下に位置付けられた、請求項１〜３のいずれか一項に記載の装置。
【請求項５】
前記供給管が前記主フィーダーに入り、かつ前記第二のロッド状物品を前記供給出口経由で前記主フィーダー内の前記第一のロッド状物品の前記マスフローに供給するように動作可能である、請求項１〜３のいずれか一項に記載の装置。
【請求項６】
前記第一のロッド状物品の前記マスフローを前記第二のロッド状物品の前記供給から偏向させるために前記供給出口の上方に位置付けられた偏向板を追加的に備える、請求項４または５に記載の装置。
【請求項７】
前記供給管の内部直径が、運ばれることが意図されている前記第二のロッド状物品の外部直径よりも大きく、単一の前記第二のロッド状物品が順番に端から端まで運ばれることを可能にするのに十分な大きさであるが、二つ以上の前記第二のロッド状物品が並列になって運ばれることを可能にするのに十分な大きさではない、請求項１〜６のいずれか一項に記載の装置。
【請求項８】
前記側方フィーダーが前記ホッパーの上方に位置し、かつ前記供給出口経由で前記ホッパーに入るように、前記第二のロッド状物品を重力下で前記供給管を通して供給するように動作可能である、請求項１〜７のいずれか一項に記載の装置。
【請求項９】
前記第二のロッド状物品を供給方向に前記供給管を通して移動させるように動作可能な移動手段を追加的に備え、前記移動手段が、空気式搬送手段、機械式搬送手段、またはこれらの組み合わせを含む、請求項１〜７のいずれか一項に記載の装置。
【請求項１０】
前記空気式搬送手段が、前記供給方向に移動して、前記第二のロッド状物品を前記供給管を通して前記供給出口経由で前記ホッパーに空気式で運ぶように動作可能なガス（空気が好ましい）供給源を備える、請求項９に記載の装置。
【請求項１１】
請求項９に記載の装置であって、前記機械式搬送手段が、超音波式振動手段と、随意的に一つ以上のガス（空気が好ましい）供給源とを備え、少なくとも前記ガス供給源の一つの構成要素またはそれぞれのガス供給源が、
（ａ）前記第二のロッド状物品を前記供給管を通して、かつ前記供給出口経由で前記ホッパーに追加的に空気式で運ぶことによって、前記機械式搬送手段を補助する供給方向と、
（ｂ）前記第二のロッド状物品が前記供給方向に移動する際に、前記第二のロッド状物品と前記供給管の間の摩擦を低減させる空気クッションを提供する供給方向と反対の方向とのうち、少なくとも一つの方向に移動するように動作可能である、装置。
【請求項１２】
前記主フィーダーが重力下で前記第一のロッド状物品を前記ホッパーに供給するように動作可能な、請求項１〜１１のいずれか一項に記載の装置。
【請求項１３】
請求項１〜１２のいずれか一項に記載の装置、ロッド状物品およびポケットを備える前記ロッド状物品、特に喫煙物品の所定の並べ方を形成するための配列であって、
それぞれのポケットが、所定数のロッド状物品を前記所定の並べ方で収納するように適合され、かつ前記所定の並べ方において、各々のロッド状物品が、ポケット内の所定の位置を持ち、
前記ホッパーが複数のホッパーベーンを備え、また前記複数のホッパーベーンのうちの各ホッパーベーンが、前記ポケット内の一つの所定の位置と少なくとも関連付けられ、
前記主フィーダーが、前記複数のホッパーベーンのうちのホッパーベーンの第一のサブセットに第一のロッド状物品を提供するように適合され、前記供給管が、前記複数のホッパーベーンのうちのホッパーベーンの第二のサブセットに第二のロッド状物品を提供するように適合され、前記装置が追加的なフィーダーを備え、かつ前記追加的なフィーダーが、前記複数のホッパーベーンのうちのホッパーベーンの第三のサブセットに第三のロッド状物品を提供するように適合される、配列。
【請求項１４】
前記追加的なフィーダーが前記搬送方向に前記ホッパーから横方向に間隙を介した、請求項１３に記載の配列。
【請求項１５】
各々のホッパーベーンが前記所定の並べ方の中でのロッド状物品の所定の位置と関連付けられるように、前記ホッパー内の前記複数のホッパーベーンのホッパーベーンの数が、前記所定の並べ方の中にあるロッド状物品の数と対応する、請求項１３または１４に記載の配列。
【請求項１６】
前記ホッパーベーンの別個の移動位置が、前記並べ方内のロッド状物品の異なる層を提供し、また異なるタイプのロッド状物品が前記ポケット内のロッド状物品の前記異なる層のうちの一つの層内に含まれるように、ホッパーベーンの前記第一、第二および第三のサブセット、および前記ホッパーベーンの前記別個の移動位置が異なる、請求項１３〜１５のいずれか一項に記載の配列。
【請求項１７】
前記ポケットが、前記エンドレスコンベヤー上の前記別個の移動位置間で移動可能な、請求項１６に記載の配列。
【請求項１８】
前記エンドレスコンベヤー上の前記ポケットが、それぞれの前記別個の移動位置で連続的に停止するように適合され、前記装置がロッド状物品の一つの層をそれぞれの移動位置からそれぞれのポケットに移動するように適合された、請求項１７に記載の配列。
【請求項１９】
搬送方向に移動するエンドレスコンベヤー上のポケットにロッド状物品を供給するように配列するための方法であって、前記方法が、
ホッパーを提供することと、
前記ホッパー上に垂直方向に位置付けられた主フィーダーを提供し、前記主フィーダーが第一のロッド状物品を備え、前記第一のロッド状物品を下向きに前記ホッパーに供給することと、
側方フィーダー（前記側方フィーダーは供給出口の中で終了する供給管に接続され、前記側方フィーダーが第二のロッド状物品を備える）を前記搬送方向に対して横断方向で且つ前記ホッパー内にある時の前記ロッド状物品の長軸方向の延長部の向きと平行な方向に前記ホッパーから横方向に間隙を介して提供することと、
前記第二のロッド状物品を前記第二のフィーダーから、前記供給管を通して、前記供給出口を経由して前記装置の中へと供給することと、を含み、
これによって、前記ホッパーは、前記ロッド状物品を受け、かつ前記エンドレスコンベヤー上の前記ポケットに供給されるように配列する、方法。
【請求項２０】
空気式手段によって、機械式手段によって、またはこれらの組み合わせによって、前記第二のロッド状物品を供給方向に前記供給管を通して移動させる工程をさらに含む、請求項１９に記載の方法。
【誤訳訂正２】
【訂正対象書類名】明細書
【訂正対象項目名】０００８
【訂正方法】変更
【訂正の内容】
【０００８】
ホッパー内にある時のロッド状物品の長軸方向の延長部の向きは、エンドレスコンベヤーの搬送方向に直交することが好ましい。従って、側方フィーダーは、ホッパー内にある時のロッド状物品の長軸方向の延長部の向きと平行な方向に、ホッパーから横方向に間隙を介しうる。ロッド状物品の長軸方向の延長部は、ロッド状物品の主要延長方向である。